【手続補正書】
【提出日】平成20年7月31日(2008.7.31)
【手続補正１】
【補正対象書類名】特許請求の範囲
【補正対象項目名】請求項１
【補正方法】変更
【補正の内容】
【請求項１】
ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続されたデータ測定器とを備えたデータ管理システムであって、
前記データ送受信装置は、
データ測定器へ該データ測定器の起動指令を含む所定の情報を送信する情報送信手段と、
前記情報送信手段により送信された所定の情報に基づいて起動された前記データ測定器から送られたユーザの測定データを受信する測定データ受信手段と、
前記測定データ受信手段により受信した測定データに基づく測定情報であって該データ送受信装置の機器認証情報を含むものを前記情報端末装置へ送信する測定情報送信手段とを備え、
前記情報端末装置は、
前記測定情報送信手段により送信された測定情報を前記データ管理サーバへ送信するネットワーク送信手段を備え、
前記データ管理サーバは、
前記ネットワーク送信手段により送信された測定情報をユーザ毎に所定の形式に基づきデータ記録部に記録する測定情報記録手段と、
予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断手段とを備えたことを特徴とするデータ管理システム。
【手続補正２】
【補正対象書類名】特許請求の範囲
【補正対象項目名】請求項３
【補正方法】変更
【補正の内容】
【請求項３】
請求項１又は２記載のデータ管理システムにおいて、前記データ管理サーバは、
前記判断手段により前記データ送受信装置が使用前登録されていないと判断された場合、前記情報端末装置を介してユーザ認証情報を取得するユーザ認証情報取得手段と、
前記ユーザ認証情報取得手段により取得したユーザ認証情報に基づき前記データ記録部を検索する検索手段と、
前記検索手段により検索されたユーザ認証情報と前記機器認証情報とを関連付けする関連付け手段と、
前記検索手段により検索されたユーザ認証情報に対応するユーザ情報であって該ユーザ認証情報を除くものを、前記情報端末装置を介して前記データ送受信装置側へ登録する登録手段とをさらに備えたことを特徴とするデータ管理システム。
【手続補正３】
【補正対象書類名】特許請求の範囲
【補正対象項目名】請求項４
【補正方法】変更
【補正の内容】
【請求項４】
請求項３記載のデータ管理システムにおいて、前記測定情報記録手段は、前記ネットワーク送信手段により送信された測定情報に含まれる機器認証情報がユーザ認証情報と関連付けられている場合に、該測定情報を該ユーザ認証情報に対応させて所定の形式に基づきデータ記録部に記録することを特徴とするデータ管理システム。
【手続補正４】
【補正対象書類名】特許請求の範囲
【補正対象項目名】請求項８
【補正方法】変更
【補正の内容】
【請求項８】
情報端末装置と所定のインタフェースにより脱着可能に接続されたデータ送受信装置であって、
所定のワイヤレス通信方式により接続されたデータ測定器へ該データ測定器の起動指令を含む所定の情報を送信する情報送信手段と、
前記情報送信手段により送信された所定の情報に基づいて起動された前記データ測定器から送られたユーザの測定データを受信する測定データ受信手段と、
前記測定データ受信手段により受信した測定データに基づく測定情報であって該データ送受信装置の機器認証情報を含むものを前記情報端末装置へ送信する測定情報送信手段とを備え、
前記情報端末装置とネットワークを介して接続されたデータ管理サーバであってデータ記録部を有するものにより、予め該データ記録部に記録されたユーザ認証情報を含むユーザ情報と前記情報端末装置を介して取得した該データ送受信装置の機器認証情報とに基づき、該データ送受信装置が使用前登録されたか否かが判断されることを特徴とするデータ送受信装置。
【手続補正５】
【補正対象書類名】特許請求の範囲
【補正対象項目名】請求項９
【補正方法】変更
【補正の内容】
【請求項９】
請求項８記載のデータ送受信装置において、前記測定情報は、前記情報端末装置から前記データ管理サーバへ送信され、ユーザ毎に所定の形式に基づき前記データ記録部に記録され、該データ管理サーバにより該情報端末装置側に閲覧されることを特徴とするデータ送受信装置。
【手続補正６】
【補正対象書類名】特許請求の範囲
【補正対象項目名】請求項１０
【補正方法】変更
【補正の内容】
【請求項１０】
請求項８又は９記載のデータ送受信装置において、前記データ管理サーバにより、前記データ送受信装置が使用前登録されていないと判断され、該情報端末装置を介して取得されたユーザ認証情報に基づき前記データ記録部が検索され、検索されたユーザ認証情報と該機器認証情報とが関連付けされ、検索されたユーザ認証情報に対応するユーザ情報であって該ユーザ認証情報を除くものが、該情報端末装置を介して該データ送受信装置側へ登録されることを特徴とするデータ送受信装置。
【手続補正７】
【補正対象書類名】特許請求の範囲
【補正対象項目名】請求項１１
【補正方法】変更
【補正の内容】
【請求項１１】
請求項１０記載のデータ送受信装置において、前記データ管理サーバにより、該測定情報に含まれる機器認証情報がユーザ認証情報と関連付けられている場合に、該測定情報は該ユーザ認証情報に対応させて所定の形式に基づきデータ記録部に記録されることを特徴とするデータ送受信装置。
【手続補正８】
【補正対象書類名】特許請求の範囲
【補正対象項目名】請求項１５
【補正方法】変更
【補正の内容】
【請求項１５】
ネットワークを介して情報端末装置と接続されたデータ管理サーバであって、
前記情報端末装置と所定のインタフェースにより脱着可能に接続されたデータ送受信装置により、該データ送受信装置と所定のワイヤレス通信方式により接続されたデータ測定器へ該データ測定器の起動指令を含む所定の情報が送信され、該所定の情報に基づいて起動された該データ測定器から送られたユーザの測定データが受信され、該測定データに基づく測定情報であって該データ送受信装置の機器認証情報を含むものが該情報端末装置を介して前記データ管理サーバへ送信され、
前記データ管理サーバは、送信された前記測定情報をユーザ毎に所定の形式に基づきデータ記録部に記録する測定情報記録手段と、
予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断手段とを備えたことを特徴とするデータ管理サーバ。
【手続補正９】
【補正対象書類名】特許請求の範囲
【補正対象項目名】請求項１７
【補正方法】変更
【補正の内容】
【請求項１７】
請求項１５又は１６記載のデータ管理サーバにおいて、
前記判断手段により前記データ送受信装置が使用前登録されていないと判断された場合、前記情報端末装置を介してユーザ認証情報を取得するユーザ認証情報取得手段と、
前記ユーザ認証情報取得手段により取得したユーザ認証情報に基づき前記データ記録部を検索する検索手段と、
前記検索手段により検索されたユーザ認証情報と前記機器認証情報とを関連付けする関連付け手段と、
前記検索手段により検索されたユーザ認証情報に対応するユーザ情報であって該ユーザ認証情報を除くものを、前記情報端末装置を介して前記データ送受信装置側へ登録する登録手段とをさらに備えたことを特徴とするデータ管理サーバ。
【手続補正１０】
【補正対象書類名】特許請求の範囲
【補正対象項目名】請求項１８
【補正方法】変更
【補正の内容】
【請求項１８】
請求項１７記載のデータ管理サーバにおいて、
前記測定情報記録手段は、前記機器認証情報がユーザ認証情報と関連付けられている場合に、該測定情報を該ユーザ認証情報に対応させて所定の形式に基づきデータ記録部に記録することを特徴とするデータ管理サーバ。
【手続補正１１】
【補正対象書類名】特許請求の範囲
【補正対象項目名】請求項２２
【補正方法】変更
【補正の内容】
【請求項２２】
ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続されたデータ測定器とを用いるデータ管理方法であって、
前記データ送受信装置が、
データ測定器へ該データ測定器の起動指令を含む所定の情報を送信する情報送信ステップと、
前記情報送信ステップにより送信された所定の情報に基づいて起動された前記データ測定器から送られたユーザの測定データを受信する測定データ受信ステップと、
前記測定データ受信ステップにより受信した測定データに基づく測定情報であって該データ送受信装置の機器認証情報を含むものを前記情報端末装置へ送信する測定情報送信ステップと、
前記情報端末装置が、
前記測定情報送信ステップにより送信された測定情報を前記データ管理サーバへ送信するネットワーク送信ステップと、
前記データ管理サーバが、
前記ネットワーク送信ステップにより送信された測定情報をユーザ毎に所定の形式に基づきデータ記録部に記録する測定情報記録ステップと、
予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断ステップとを備えたことを特徴とするデータ管理方法。
【手続補正１２】
【補正対象書類名】特許請求の範囲
【補正対象項目名】請求項２４
【補正方法】変更
【補正の内容】
【請求項２４】
請求項２２又は２３記載のデータ管理方法において、前記データ管理サーバが、
前記判断ステップにより前記データ送受信装置が使用前登録されていないと判断された場合、前記情報端末装置を介してユーザ認証情報を取得するユーザ認証情報取得ステップと、
前記ユーザ認証情報取得ステップにより取得したユーザ認証情報に基づき前記データ記録部を検索する検索ステップと、
前記検索ステップにより検索されたユーザ認証情報と前記機器認証情報とを関連付けする関連付けステップと、
前記検索ステップにより検索されたユーザ認証情報に対応するユーザ情報であって該ユーザ認証情報を除くものを、前記情報端末装置を介して前記データ送受信装置側へ登録する登録ステップとをさらに備えたことを特徴とするデータ管理方法。
【手続補正１３】
【補正対象書類名】特許請求の範囲
【補正対象項目名】請求項２５
【補正方法】変更
【補正の内容】
【請求項２５】
請求項２２乃至２４のいずれかに記載のデータ管理方法において、前記データ記録部はユーザ毎に使用する測定器識別情報が登録されており、
前記測定情報記録ステップは、前記ネットワーク送信ステップにより送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することを特徴とするデータ管理方法。
【手続補正１４】
【補正対象書類名】明細書
【補正対象項目名】０００６
【補正方法】変更
【補正の内容】
【０００６】
この発明のデータ管理システムは、ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続されたデータ測定器とを備えたデータ管理システムであって、前記データ送受信装置は、データ測定器へ該データ測定器の起動指令を含む所定の情報を送信する情報送信手段と、前記情報送信手段により送信された所定の情報に基づいて起動された前記データ測定器から送られたユーザの測定データを受信する測定データ受信手段と、前記測定データ受信手段により受信した測定データに基づく測定情報であって該データ送受信装置の機器認証情報を含むものを前記情報端末装置へ送信する測定情報送信手段とを備え、前記情報端末装置は、前記測定情報送信手段により送信された測定情報を前記データ管理サーバへ送信するネットワーク送信手段を備え、前記データ管理サーバは、前記ネットワーク送信手段により送信された測定情報をユーザ毎に所定の形式に基づきデータ記録部に記録する測定情報記録手段と、予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断手段とを備えたことを特徴とする。
【手続補正１５】
【補正対象書類名】明細書
【補正対象項目名】０００８
【補正方法】変更
【補正の内容】
【０００８】
ここで、この発明のデータ管理システムにおいて、前記データ管理サーバは、前記判断手段により前記データ送受信装置が使用前登録されていないと判断された場合、前記情報端末装置を介してユーザ認証情報を取得するユーザ認証情報取得手段と、前記ユーザ認証情報取得手段により取得したユーザ認証情報に基づき前記データ記録部を検索する検索手段と、前記検索手段により検索されたユーザ認証情報と前記機器認証情報とを関連付けする関連付け手段と、前記検索手段により検索されたユーザ認証情報に対応するユーザ情報であって該ユーザ認証情報を除くものを、前記情報端末装置を介して前記データ送受信装置側へ登録する登録手段とをさらに備えることができる。
【手続補正１６】
【補正対象書類名】明細書
【補正対象項目名】０００９
【補正方法】変更
【補正の内容】
【０００９】
ここで、この発明のデータ管理システムにおいて、前記測定情報記録手段は、前記ネットワーク送信手段により送信された測定情報に含まれる機器認証情報がユーザ認証情報と関連付けられている場合に、該測定情報を該ユーザ認証情報に対応させて所定の形式に基づきデータ記録部に記録することができる。
【手続補正１７】
【補正対象書類名】明細書
【補正対象項目名】００１３
【補正方法】変更
【補正の内容】
【００１３】
この発明のデータ送受信装置は、情報端末装置と所定のインタフェースにより脱着可能に接続されたデータ送受信装置であって、所定のワイヤレス通信方式により接続されたデータ測定器へ該データ測定器の起動指令を含む所定の情報を送信する情報送信手段と、前記情報送信手段により送信された所定の情報に基づいて起動された前記データ測定器から送られたユーザの測定データを受信する測定データ受信手段と、前記測定データ受信手段により受信した測定データに基づく測定情報であって該データ送受信装置の機器認証情報を含むものを前記情報端末装置へ送信する測定情報送信手段とを備え、前記情報端末装置とネットワークを介して接続されたデータ管理サーバであってデータ記録部を有するものにより、予め該データ記録部に記録されたユーザ認証情報を含むユーザ情報と前記情報端末装置を介して取得した該データ送受信装置の機器認証情報とに基づき、該データ送受信装置が使用前登録されたか否かが判断されることを特徴とする。
【手続補正１８】
【補正対象書類名】明細書
【補正対象項目名】００１４
【補正方法】変更
【補正の内容】
【００１４】
ここで、この発明のデータ送受信装置において、前記測定情報は、前記情報端末装置から前記データ管理サーバへ送信され、ユーザ毎に所定の形式に基づき前記データ記録部に記録され、該データ管理サーバにより該情報端末装置側に閲覧させることができる。
【手続補正１９】
【補正対象書類名】明細書
【補正対象項目名】００１５
【補正方法】変更
【補正の内容】
【００１５】
ここで、この発明のデータ送受信装置において、前記データ管理サーバにより、前記データ送受信装置が使用前登録されていないと判断され、該情報端末装置を介して取得されたユーザ認証情報に基づき前記データ記録部が検索され、検索されたユーザ認証情報と該機器認証情報とが関連付けされ、検索されたユーザ認証情報に対応するユーザ情報であって該ユーザ認証情報を除くものが、該情報端末装置を介して該データ送受信装置側へ登録されることができる。
【手続補正２０】
【補正対象書類名】明細書
【補正対象項目名】００１６
【補正方法】変更
【補正の内容】
【００１６】
ここで、この発明のデータ送受信装置において、前記データ管理サーバにより、該測定情報に含まれる機器認証情報がユーザ認証情報と関連付けられている場合に、該測定情報は該ユーザ認証情報に対応させて所定の形式に基づきデータ記録部に記録されることができる。
【手続補正２１】
【補正対象書類名】明細書
【補正対象項目名】００２０
【補正方法】変更
【補正の内容】
【００２０】
この発明のデータ管理サーバは、ネットワークを介して情報端末装置と接続されたデータ管理サーバであって、前記情報端末装置と所定のインタフェースにより脱着可能に接続されたデータ送受信装置により、該データ送受信装置と所定のワイヤレス通信方式により接続されたデータ測定器へ該データ測定器の起動指令を含む所定の情報が送信され、該所定の情報に基づいて起動された該データ測定器から送られたユーザの測定データが受信され、該測定データに基づく測定情報であって該データ送受信装置の機器認証情報を含むものが該情報端末装置を介して前記データ管理サーバへ送信され、前記データ管理サーバは、送信された前記測定情報をユーザ毎に所定の形式に基づきデータ記録部に記録する測定情報記録手段と、予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断手段とを備えたことを特徴とする。
【手続補正２２】
【補正対象書類名】明細書
【補正対象項目名】００２２
【補正方法】変更
【補正の内容】
【００２２】
ここで、この発明のデータ管理サーバにおいて、前記判断手段により前記データ送受信装置が使用前登録されていないと判断された場合、前記情報端末装置を介してユーザ認証情報を取得するユーザ認証情報取得手段と、前記ユーザ認証情報取得手段により取得したユーザ認証情報に基づき前記データ記録部を検索する検索手段と、前記検索手段により検索されたユーザ認証情報と前記機器認証情報とを関連付けする関連付け手段と、前記検索手段により検索されたユーザ認証情報に対応するユーザ情報であって該ユーザ認証情報を除くものを、前記情報端末装置を介して前記データ送受信装置側へ登録する登録手段とをさらに備えることができる。
【手続補正２３】
【補正対象書類名】明細書
【補正対象項目名】００２３
【補正方法】変更
【補正の内容】
【００２３】
ここで、この発明のデータ管理サーバにおいて、前記測定情報記録手段は、前記機器認証情報がユーザ認証情報と関連付けられている場合に、該測定情報を該ユーザ認証情報に対応させて所定の形式に基づきデータ記録部に記録することができる。
【手続補正２４】
【補正対象書類名】明細書
【補正対象項目名】００２７
【補正方法】変更
【補正の内容】
【００２７】
この発明のデータ管理方法は、ネットワークを介して接続された情報端末装置及びデータ管理サーバと、該情報端末装置と所定のインタフェースにより脱着可能に接続されたデータ送受信装置と、該データ送受信装置と所定のワイヤレス通信方式により接続されたデータ測定器とを用いるデータ管理方法であって、前記データ送受信装置が、データ測定器へ該データ測定器の起動指令を含む所定の情報を送信する情報送信ステップと、前記情報送信ステップにより送信された所定の情報に基づいて起動された前記データ測定器から送られたユーザの測定データを受信する測定データ受信ステップと、前記測定データ受信ステップにより受信した測定データに基づく測定情報であって該データ送受信装置の機器認証情報を含むものを前記情報端末装置へ送信する測定情報送信ステップと、前記情報端末装置が、前記測定情報送信ステップにより送信された測定情報を前記データ管理サーバへ送信するネットワーク送信ステップと、前記データ管理サーバが、前記ネットワーク送信ステップにより送信された測定情報をユーザ毎に所定の形式に基づきデータ記録部に記録する測定情報記録ステップと、予め前記データ記録部に記録されたユーザ認証情報を含むユーザ情報と前記情報端末装置を介して取得した前記データ送受信装置の機器認証情報とに基づき、該データ送受信装置が使用前登録されたか否かを判断する判断ステップとを備えたことを特徴とする。
【手続補正２５】
【補正対象書類名】明細書
【補正対象項目名】００２９
【補正方法】変更
【補正の内容】
【００２９】
ここで、この発明のデータ管理方法において、前記データ管理サーバが、前記判断ステップにより前記データ送受信装置が使用前登録されていないと判断された場合、前記情報端末装置を介してユーザ認証情報を取得するユーザ認証情報取得ステップと、前記ユーザ認証情報取得ステップにより取得したユーザ認証情報に基づき前記データ記録部を検索する検索ステップと、前記検索ステップにより検索されたユーザ認証情報と前記機器認証情報とを関連付けする関連付けステップと、前記検索ステップにより検索されたユーザ認証情報に対応するユーザ情報であって該ユーザ認証情報を除くものを、前記情報端末装置を介して前記データ送受信装置側へ登録する登録ステップとをさらに備えたことができる。
【手続補正２６】
【補正対象書類名】明細書
【補正対象項目名】００３０
【補正方法】変更
【補正の内容】
【００３０】
ここで、この発明のデータ管理方法において、前記データ記録部はユーザ毎に使用する測定器識別情報が登録されており、前記測定情報記録ステップは、前記ネットワーク送信ステップにより送信された測定情報に含まれるデータ測定器の測定器識別情報が該測定情報に対応するユーザに関し未登録と判断された場合、該測定器識別情報を登録し、該測定情報をユーザ毎に所定の形式に基づきデータ記録部に記録することができる。